(57)【要約】【課題】並列運転する給電装置の故障判定が容易でシステム全体のダウンを避けることが可能な電源供給システムおよび給電方法、ならびに並列電源供給装置とその給電方法を提供する。【解決手段】給電装置１２（＃Ａ）は、所定のＤＣ電圧Ｅにパイロット信号Ｖａを同相アンプ１２５を介して入力する多重部１２６で多重して電源ケーブル３に出力し、また反転アンプ１２４を介して給電装置１２（＃Ｂ）へ出力する。給電装置１２（＃Ｂ）は、所定のＤＣ電圧Ｅに反転されたパイロット信号Ｖａを多重部１２６で多重して電源ケーブル３に出力することにより、両電源装置が正常で有れば、パイロット信号は打ち消し会う。複数の子局装置２では、電源ケーブル３上のパイロット信号を監視し、パイロット信号が検出された場合、予め定められた子局装置２は、電源をオフとして動作停止する。【選択図】図１
2008259351.tif 000002
【特許請求の範囲】
【請求項１】
共通の電源ケーブルに並列接続されて給電する第１、第２の給電装置と、前記電源ケーブルに接続されて各々が内蔵する受電部に給電される複数の子局装置とからなる電源供給システムにおいて、
所定の電圧の電源を出力する第１の電源供給手段と、所定の周波数のパイロット信号を生成して出力する発振器と、前記生成されるパイロット信号を入力して出力する同相アンプおよび反転アンプと前記同相アンプの出力と前記第１の電源供給手段の出力とを多重して前記電源ケーブルに出力する第１の多重部とを備える第１の給電装置と、
前記所定の電圧の電源を出力する第２の電源供給手段と、前記反転アンプの出力の前記パイロット信号を入力して出力する第２の同相アンプと、前記第２の同相アンプの出力と前記第２の電源供給手段の出力とを多重して前記電源ケーブルに出力する第２の多重部とを備える第２の給電装置と、
前記電源ケーブルに接続され、前記受電部が受電中の電源を監視し前記所定の周波数のパイロット信号を検出した場合、前記受電中の電源の入力を切断して動作停止する第１の子局装置と、
前記電源ケーブルに接続され、前記受電部が前記パイロット信号の検出の有無によらず受電中の電源を入力する第２の子局装置とを
具備することを特徴とする電源供給システム。
【請求項２】
共通の電源ケーブルに並列接続されて給電する第１、第２の給電装置と、前記電源ケーブルに接続されて各々が内蔵する受電部に給電される複数の子局装置とからなる電源供給システムにおいて、
所定の電圧の電源を出力する第１の電源供給手段と、所定の周波数のパイロット信号を生成して出力する発振器と、前記生成されるパイロット信号を入力して出力する同相アンプおよび反転アンプと前記同相アンプの出力と前記第１の電源供給手段の出力とを多重して前記電源ケーブルに出力する第１の多重部とを備える第１の給電装置と、
前記所定の電圧の電源を出力する第２の電源供給手段と、前記反転アンプの出力の前記パイロット信号を入力して出力する第２の同相アンプと、前記第２の同相アンプの出力と前記第２の電源供給手段の出力とを多重して前記電源ケーブルに出力する第２の多重部とを備える第２の給電装置と、
前記電源ケーブルに接続され、動作中入力する合計電力が前記第１の給電装置の電源容量相当の台数からなり、前記受電部が受電中の電源を監視し前記所定の周波数のパイロット信号を検出した場合、前記受電中の電源の入力を切断して動作停止する第１の子局装置と、
前記電源ケーブルに接続され、前記受電部が前記パイロット信号の検出の有無によらず受電中の電源を入力する合計電力が前記第２の給電装置の電源容量相当の台数からなる第２の子局装置とを
具備することを特徴とする電源供給システム。
【請求項３】
共通の電源ケーブルに並列接続されて給電する第１、第２の給電装置と、前記電源ケーブルに接続されて各々が内蔵する受電部に給電される複数の子局装置とからなる電源供給システムにおいて、
所定の電圧の電源を出力する電源供給手段と、
所定の周波数のパイロット信号を生成して出力する発振器と、
前記発振器の出力と外部からのパイロット信号との入力端子を備え、そのうち何れか一方を選択して出力する入力選択手段と、
同相アンプと、反転アンプと、
入力側が前記反転アンプの出力に接続され、出力側が他方の給電装置の前記入力選択手段へ接続される出力切換手段と、
前記入力手段前記外部からのパイロット信号を監視し、前記外部からのパイロット信号を検知しなかった場合は、前記入力選択手段から前記発振器の出力を前記両アンプへ出力する制御と共に、前記出力切換手段へ前記反転アンプの出力をオンとする制御を行い、検知した場合は、前記入力選択手段から前記外部からのパイロット信号を前記両アンプへ出力する制御と共に、前記出力選択手段へ前記反転アンプの出力をオフとする制御を行うセンサ部と、
前記出力される同相アンプの出力と前記電源供給手段の出力とを多重して前記電源ケーブルに出力する多重部とを
それぞれが備える第１、第２の給電装置と、
前記電源ケーブルに接続され、前記受電部が受電中の電源を監視し前記所定の周波数のパイロット信号を検出した場合、前記受電中の電源の入力を切断して自装置を動作停止する第１の子局装置と、
前記電源ケーブルに接続され、前記受電部が前記パイロット信号の検出の有無によらず受電中の電源を入力する第２の子局装置とを
具備することを特徴とする電源供給システム。
【請求項４】
共通の電源ケーブルに並列接続されて給電する第１、第２の給電装置と、前記電源ケーブルに接続されて各々が内蔵する受電部に給電される複数の子局装置とからなる電源供給システムにおいて、
所定の電圧の電源を出力する電源供給手段と、
所定の周波数のパイロット信号を生成して出力する発振器と、
前記発振器の出力と外部からのパイロット信号との入力端子を備え、そのうち何れか一方を選択して出力する入力選択手段と、
同相アンプと、反転アンプと、
入力側が前記反転アンプの出力に接続され、出力側が他方の給電装置の前記入力選択手段へ接続される出力切換手段と、
前記入力手段前記外部からのパイロット信号を監視し、前記外部からのパイロット信号を検知しなかった場合は、前記入力選択手段から前記発振器の出力を前記両アンプへ出力する制御と共に、前記出力切換手段へ前記反転アンプの出力をオンとする制御を行い、検知した場合は、前記入力選択手段から前記外部からのパイロット信号を前記両アンプへ出力する制御と共に、前記出力選択手段へ前記反転アンプの出力をオフとする制御を行うセンサ部と、
前記出力される同相アンプの出力と前記電源供給手段の出力とを多重して前記電源ケーブルに出力する多重部とを
それぞれが備える第１、第２の給電装置と、
前記電源ケーブルに接続され、動作中に入力する合計電力が少なくとも前記第１の給電装置の電源容量に相当する台数からなり、前記受電部が受電中の電源を監視し前記所定の周波数のパイロット信号を検出した場合、前記受電中の電源の入力を切断して自装置を動作停止する第１の子局装置と、
前記電源ケーブルに接続され、前記受電部が前記パイロット信号の検出の有無によらず受電中の電源を入力する合計電力が前記第２の給電装置の電源容量以下の台数からなる第２の子局装置とを
具備することを特徴とする電源供給システム。
【請求項５】
共通の電源ケーブルに並列接続されて給電する第１、第２の給電装置と、前記電源ケーブルに接続されて各々が内蔵する受電部に給電される複数の子局装置とからなる電源供給システムにおいて、
所定の電圧の電源を出力する第１の電源供給手段と、第１の周波数のパイロット信号を生成して出力する発振器と、前記生成される第１の周波数のパイロット信号を入力して出力するアンプと、前記アンプの出力と前記第１の電源供給手段の出力とを多重して前記電源ケーブルに出力する多重部とを備える第１の給電装置と、
前記所定の電圧の電源を出力する第２の電源供給手段と、第２の周波数のパイロット信号を生成して出力する発振器と、前記生成される第１の周波数のパイロット信号を入力して出力するアンプと、前記アンプの出力と前記第２の電源供給手段の出力とを多重して前記電源ケーブルに出力する多重部とを備える第２の給電装置と、
前記電源ケーブルに接続され、動作中に入力する合計電力が前記第１の給電装置の電源容量以下の台数からなり、前記受電部が受電中の電源を監視し前記第１の周波数のパイロット信号を検出した場合、受電中の電源を入力して動作する第１の子局装置と、
前記電源ケーブルに接続され、動作中に入力する合計電力が前記第２の給電装置の電源容量以下の台数からなり、前記受電部が受電中の電源を監視し前記第２の周波数のパイロット信号を検出した場合、受電中の電源を入力して動作する第２の子局装置とを
具備することを特徴とする電源供給システム。
【請求項６】
前記各電源供給手段は、所定の電圧の直流の電源電力を出力する
ことを特徴とする請求項１〜５の何れか１つに記載の電源供給システム。
【請求項７】
前記電源供給システムの前記給電装置は、ＲＯＦシステムの親局装置に備えられ、
前記受電部は、前記親局装置から給電される子局装置に備えられる
ことを特徴とする請求項６記載の電源供給システム。
【請求項８】
パイロット信号発振器を備え、共通の電源ケーブルに並列接続されて所定の電圧の電源を給電する第１、第２の給電装置と、前記電源ケーブルに接続されて各々が内蔵する受電部に給電される複数の子局装置とからなる電源供給システムの給電方法において、
前記第１の給電装置は、
前記パイロット信号発振器により所定の周波数のパイロット信号を生成し、前記所定の電圧の電源の出力に多重して前記電源ケーブルに出力すると共に、生成された前記パイロット信号を反転アンプを介して同振幅、逆位相に反転して前記第２の第２の給電装置へ出力し、
前記反転されたパイロット信号が入力される前記第２の給電装置は、
自装置の前記所定の電圧の電源の出力と前記入力されたパイロット信号とを多重して前記電源ケーブルに出力し、
前記電源ケーブルに接続されて受電する前記子局装置のうち第１の子局装置は、
前記受電部が受電中の電源を監視し前記所定の周波数のパイロット信号を検出した場合、前記受電する電源の入力を切断して自装置の動作を停止し、
残りの第２の子局装置は、前記パイロット信号を検出したか、否かによらず継続して電源を入力する
ことを特徴とする電源供給システムの給電方法。
【請求項９】
共通の電源ケーブルに並列接続されて給電する第１、第２の給電装置と、前記電源ケーブルに接続されて各々が内蔵する受電部に給電される複数の子局装置とからなる電源供給システムの給電方法において、
前記第１の給電装置は、
所定の電圧の電源を出力し、所定の周波数のパイロット信号を生成して前記出力される電源とを多重して前記電源ケーブルに出力すると共に、前記パイロット信号を反転アンプを介して前記第２の第２の給電装置に出力し、
前記反転されたパイロット信号が入力される前記第２の給電装置は、
自装置が出力する前記所定の電圧の電源の出力前記入力されたパイロット信号とを多重して前記電源ケーブルに出力し、
前記電源ケーブルに接続されて受電する前記子局装置のうち、前記受電部が受電中の電源を監視し前記所定の周波数のパイロット信号を検出した場合、前記受電する電源の入力を切断して自装置の動作を停止する第１の子局装置は、動作中、入力する合計電力が前記第１の給電装置の電源容量に相当する台数が割り当てられ、
継続して電源を入力する残りの第２の子局装置は、入力する合計電力が前記第２の給電装置の電源容量に相当する台数が割り当てられる
ことを特徴とする電源供給システムの給電方法。
【請求項１０】
電源の出力が共通の電源ケーブルに並列接続され、それぞれが共通な所定の電圧の電源を出力する電源供給手段と、所定の周波数のパイロット信号を生成して出力する発振器と、前記生成されるパイロット信号を入力して出力する同相アンプおよび反転アンプとセンサ部と、入力選択手段と、出力切換手段と、前記同相アンプの出力と前記電源供給手段の出力とを多重して前記電源ケーブルに出力する多重部とを備える第１、第２の給電装置と、前記電源ケーブルに接続されて各々が内蔵する受電部に給電される複数の子局装置とからなる電源供給システムの給電方法において、
前記各給電装置の両前記入力選択手段の一方の入力端子は、自装置の前記発振器の出力に接続され、他方の入力端子は、他方の給電装置の前記出力切換手段の出力側に接続され、
各前記センサ部は、
前記入力選択手段の入力を監視し、前記外部からのパイロット信号を検知しない場合、自給電装置をマスターとして前記入力選択手段から前記発振器の出力をパイロット信号にして前記両アンプへ出力する制御と共に前記出力切換手段へ前記反転アンプの出力をオンとする制御とを行い、前記外部からのパイロット信号を検知した場合、前記入力選択手段から前記外部から入力するパイロット信号を前記両アンプへ出力する制御と共に前記出力切換手段へ前記反転アンプの出力をオフとする制御とを行い、
各前記多重部は、入力される前記同相アンプからの出力される前記パイロット信号と前記電源供給手段の出力とを多重して前記電源ケーブルに出力し、
前記電源ケーブルに接続される子局装置のうち、第１の子局装置は、
前記受電部が受電中の電源を監視し、前記所定の周波数のパイロット信号を検出した場合、前記受電中の電源の入力を切断して自装置の動作を停止し、
前記電源ケーブルに接続され、残りの第２の子局装置は、前記パイロット信号の検出の有無によらず受電中の電力を自装置へ入力する
ことを特徴とする電源供給システムの給電方法。
【請求項１１】
電源の出力が共通の電源ケーブルに並列接続され、それぞれが共通な所定の電圧の電源を出力する電源供給手段と、所定の周波数のパイロット信号を生成して出力する発振器と、前記生成されるパイロット信号を入力して出力する同相アンプおよび反転アンプとセンサ部と、入力選択手段と、出力切換手段と、前記同相アンプの出力と前記電源供給手段の出力とを多重して前記電源ケーブルに出力する多重部とを備える第１、第２の給電装置と、前記電源ケーブルに接続されて各々が内蔵する受電部に給電される複数の子局装置とからなる電源供給システムの給電方法において、
前記各給電装置の両前記入力選択手段の一方の入力端子は、自装置の前記発振器の出力に接続され、他方の入力端子は、他方の給電装置の前記出力切換手段の出力側に接続され、
各前記センサ部は、
前記入力選択手段の入力を監視し、前記外部からのパイロット信号を検知しない場合、自給電装置をマスターとして前記入力選択手段から前記発振器の出力をパイロット信号にして前記両アンプへ出力する制御と共に前記出力切換手段へ前記反転アンプの出力をオンとする制御とを行い、前記外部からのパイロット信号を検知した場合、前記入力選択手段から前記外部から入力するパイロット信号を前記両アンプへ出力する制御と共に前記出力切換手段へ前記反転アンプの出力をオフとする制御とを行い、
各前記多重部は、入力される前記同相アンプからの出力される前記パイロット信号と前記電源供給手段の出力とを多重して前記電源ケーブルに出力し、
前記電源ケーブルに接続され、前記受電部が受電中の電源を監視し、前記所定の周波数のパイロット信号を検出した場合、前記受電中の電源の入力を切断して自装置の動作を停止する第１の子局装置は、動作時の合計の入力電力が、前記第１の給電装置の電源容量に相当する台数が割り当てられ、
前記電源ケーブルに接続され、前記パイロット信号の検出の有無によらず受電中の電力を自装置へ入力する残りの第２の子局装置は、入力する電力の合計が、前記第２の給電装置の電源容量に相当する台数が割り当てられる
ことを特徴とする電源供給システムの給電方法。
【請求項１２】
電源の出力が共通の電源ケーブルに並列接続され、それぞれが共通な所定の電圧の電源を出力する電源供給手段と、パイロット信号を出力する発振器と、前記発振器の出力と前記電源供給手段の出力とを多重して前記電源ケーブルに出力する多重部とを備える第１、第２の給電装置と、前記電源ケーブルに接続されて各々が内蔵する受電部に給電される複数の子局装置とからなる電源供給システムの給電方法において、
前記第１、第２の給電装置の前記各発振器は、それぞれが第１の周波数、第２の周波数のパイロット信号をそれぞれの多重部へ出力し、
前記第１の周波数のパイロット信号を入力する第１の多重部は、
前記電源供給手段の出力と前記入力する第１の周波数のパイロット信号とを多重して前記電源ケーブルに出力し、
前記第２の周波数のパイロット信号を入力する第２の多重部は、
前記電源供給手段の出力と前記入力する第２の周波数のパイロット信号とを多重して前記電源ケーブルに出力し、
前記電源ケーブルに接続される第１の子局装置は、動作中に入力する合計電力が前記第１の給電装置の電源容量以下の台数からなり、前記受電部が受電中の電源を監視し前記第１の周波数のパイロット信号を検出した場合、前記電源を入力して動作し、
前記電源ケーブルに接続される前記第２の子局装置は、動作中に入力する合計電力が前記第２の給電装置の電源容量以下の台数からなり、前記受電部が受電中の電源を監視し前記第２の周波数のパイロット信号を検出した場合、前記電源を入力して動作する
ことを特徴とする電源供給システムの給電方法。
【請求項１３】
前記各電源供給手段は、所定の電圧の直流の電源電力を出力する
ことを特徴とする請求項８〜１２何れか１つに記載の電源供給システムの給電方法。
【請求項１４】
前記電源供給システムの前記給電装置は、ＲＯＦシステムの親局装置に備えられ、
前記受電部は、前記親局装置から給電される子局装置に備えられる
ことを特徴とする請求項１３記載の電源供給システムの給電方法。
【請求項１５】
共通の電源ケーブルに第１、第２の給電装置を並列接続して給電する並列電源供給装置において、
前記第１、第２の給電装置は、
所定の電圧の電源を出力する電源供給手段と、
所定の周波数のパイロット信号を生成して出力する発振器と、
前記発振器の出力と外部からのパイロット信号との入力端子を備え、そのうち何れか一方を選択して出力する入力選択手段と、
同相アンプと、反転アンプと、
入力側が前記反転アンプの出力に接続され、出力側が他方の給電装置の前記入力選択手段へ接続される出力切換手段と、
前記入力手段前記外部からのパイロット信号を監視し、前記外部からのパイロット信号を検知しなかった場合は、前記入力選択手段から前記発振器の出力を前記両アンプへ出力する制御と共に、前記出力切換手段へ前記反転アンプの出力をオンとする制御を行い、検知した場合は、前記入力選択手段から前記外部からのパイロット信号を前記両アンプへ出力する制御と共に、前記出力選択手段へ前記反転アンプの出力をオフとする制御を行うセンサ部と、
前記出力される同相アンプの出力と前記電源供給手段の出力とを多重して前記電源ケーブルに出力する多重部とをそれぞれが備え、
前記第１、第２の両方の給電装置が正常な場合、前記電源ケーブルに前記両給電装置から出力されるパイロット信号が打ち消し合った電源が供給される
ことを特徴とする並列電源供給装置。
【請求項１６】
電源、それぞれが共通な所定の電圧の電源を出力する電源供給手段と、所定の周波数のパイロット信号を生成して出力する発振器と、前記生成されるパイロット信号を入力して出力する同相アンプおよび反転アンプとセンサ部と、入力選択手段と、出力切換手段と、前記同相アンプの出力と前記電源供給手段の出力とを多重して前記電源ケーブルに出力する多重部とを備える第１、第２の給電装置の出力が共通の電源ケーブルに並列接続される並列電源供給装置の給電方法において、
前記各給電装置の両前記入力選択手段の一方の入力端子は、自装置の前記発振器の出力に接続され、他方の入力端子は、他方の給電装置の前記出力切換手段の出力側に接続され、
各前記センサ部は、
前記入力選択手段の入力を監視し、前記外部からのパイロット信号を検知しない場合、自給電装置をマスターとして前記入力選択手段から前記発振器の出力をパイロット信号にして前記両アンプへ出力する制御と共に前記出力切換手段へ前記反転アンプの出力をオンとする制御とを行い、前記外部からのパイロット信号を検知した場合、前記入力選択手段から前記外部から入力するパイロット信号を前記両アンプへ出力する制御と共に前記出力切換手段へ前記反転アンプの出力をオフとする制御とを行い、
各前記多重部は、入力される前記同相アンプからの出力される前記パイロット信号と前記電源供給手段の出力とを多重して前記電源ケーブルに出力し、
両前記第１、第２の両方の給電装置が正常な場合、前記電源ケーブルに前記両給電装置から出力されるパイロット信号が互いに打ち消し合って前記所定の電圧の電源が給電される
ことを特徴とする並列電源供給装置の給電方法。
【発明の詳細な説明】
【技術分野】
【０００１】
本発明は、複数の負荷装置へ並列給電する電源供給システムおよび給電方法に関する。
【背景技術】
【０００２】
近時、携帯電話システムの不感地対策、あるいは携帯電話基地局のカバーエリアの拡大等を目的として、携帯電話基地局とアンテナとの間を、例えば、ＲＯＦ（Ｒａｄｉｏ  Ｏｖｅｒ  Ｆｉｂｅｒ）システムの様な、携帯電話基地局が携帯電話端末と通信する上りと下りの無線信号を親局と子局によって中継伝送する技術の適用が進んでいる。
【０００３】
この様な無線信号の中継伝送システムは、高層ビルのオフィスやマンション等の不感地対策として各フロアにアンテナのある子局が配置されるか、または繁華街のビル陰対策として、ビル屋上に子局が配置される。そして、親局と子局との間は、無線信号を伝送する通信ケーブルに光ケーブル又は、同軸ケーブルによって無線信号が伝送される。以下では、光ケーブルを用いるＲＯＦシステムを例に電源供給システムについて説明する。
【０００４】
ＲＯＦシステムでは、基地局の信号を送り出す親局装置とアンテナ近傍に配置される子局装置の間は、障害時の処置を含めてシステム内での運用管理がしやすい様に、多心の光ファイバを収容した光ケーブルと、給電のための電源ケーブルとによって接続される。
【０００５】
しかしながら、既存のビル等にシステムを導入する場合、地階から高層階までのフロアを跨ぐ配線スペースに余裕のない場合があり、光ケーブル１本で数百本のファイバ芯線が配線できても、電源ケーブルは、多くの本数がとれない場合が多い。更に、給電容量が大きい、例えば、３．５ｓｑや５ｓｑというような太い電線が必要になるためケーブル敷設スペースの余裕がない。
【０００６】
また、子局を増設する場合、既に、設置されている子局用の電源ケーブルに加えて新たな子局用の電源ケーブルを敷設することが、スペース制限や工事制約上出来ないことがある。そのため、１対の電源ケーブルを共用し、１台の電源装置で複数の子局へ給電することがある。
【０００７】
その際、元の電源装置１台では、供給容量が小さくなり、その対策として給電可能な負荷よりも重い負荷に対して、２台の電源装置の出力を並列接続して、１台では間に合わない容量の負荷に対して給電するような構成を採る場合がある。この方法は、電源ケーブルが別系統にされた冗長運転ではなく、単なる並列運転のため２台の電源装置が同時に給電していないと負荷を駆動できない。
【０００８】
並列運転では、子局、即ち負荷側で電源の呼称が生じた場合、どちらの電源装置が故障したかの判定をして子局を選択的に停止するために、各電源装置固有の識別情報を多重して負荷側へ出力する方法がある（例えば、特許文献１。）。しかし、識別情報の多重、および受電側での識別情報の抽出には、専用の制御回路を設ける必要があり子局側での装置の複雑化がスペース的にも支障を発生する場合もある。
【０００９】
従来の並列給電方法は、負荷側でどの電源装置が異常かを識別する処理を行うと、電源装置や子局が複雑化する。また、電源装置に異常がある場合、片方の電源装置１台では容量が不足するので２台の電源を断として異常な電源装置の切り離し、および子局装置を選別してオフにしなければならず、システム停止が発生する問題が有った。
【特許文献１】特開２００１−２５８１７８号公報  （第５頁、第４図）
【発明の開示】
【発明が解決しようとする課題】
【００１０】
従来の並列給電方法は、負荷側でどちらの電源装置が異常かを識別する処理に係わる装置が複雑化し、また電源装置に異常がある場合、２台の電源を断として異常切り離しをしなければならず、システム停止が発生する問題があった。
【００１１】
本発明は、上記問題を解決するためになされたもので、共通の電源ケーブルに並列接続される電源装置の容易な故障分離とシステムの全面断が回避可能な電源供給システムおよび給電方法、ならびに並列電源供給装置とその給電方法を提供することを目的とする。
【課題を解決するための手段】
【００１２】
上記目的を達成するために、本発明の電源供給システムは、共通の電源ケーブルに並列接続されて給電する第１、第２の給電装置と、前記電源ケーブルに接続されて各々が内蔵する受電部に給電される複数の子局装置とからなる電源供給システムにおいて、所定の電圧の電源を出力する第１の電源供給手段と、所定の周波数のパイロット信号を生成して出力する発振器と、前記生成されるパイロット信号を入力して出力する同相アンプおよび反転アンプと前記同相アンプの出力と前記第１の電源供給手段の出力とを多重して前記電源ケーブルに出力する第１の多重部とを備える第１の給電装置と、前記所定の電圧の電源を出力する第２の電源供給手段と、前記反転アンプの出力の前記パイロット信号を入力して出力する第２の同相アンプと、前記第２の同相アンプの出力と前記第２の電源供給手段の出力とを多重して前記電源ケーブルに出力する第２の多重部とを備える第２の給電装置と、前記電源ケーブルに接続され、前記受電部が受電中の電源を監視し前記所定の周波数のパイロット信号を検出した場合、前記受電中の電源の入力を切断して動作停止する第１の子局装置と、前記電源ケーブルに接続され、前記受電部が前記パイロット信号の検出の有無によらず受電中の電源を入力する第２の子局装置とを具備することを特徴とする。
【００１３】
また、本発明の電源供給システムの給電方法は、共通の電源ケーブルに並列接続されて給電する第１、第２の給電装置と、前記電源ケーブルに接続されて各々が内蔵する受電部に給電される複数の子局装置とからなる電源供給システムの給電方法において、前記第１の給電装置は、所定の電圧の電源を出力し、所定の周波数のパイロット信号を生成して前記出力される電源とを多重して前記電源ケーブルに出力すると共に、前記パイロット信号を反転アンプを介して前記第２の第２の給電装置に出力し、前記反転されたパイロット信号が入力される前記第２の給電装置は、自装置が出力する前記所定の電圧の電源の出力前記入力されたパイロット信号とを多重して前記電源ケーブルに出力し、前記電源ケーブルに接続されて受電する前記子局装置のうち第１の子局装置は、前記受電部が受電中の電源を監視し前記所定の周波数のパイロット信号を検出した場合、前記受電する電源の入力を切断して自装置の動作を停止し、残りの第２の子局装置は、継続して電源を入力することを特徴とする。
【００１４】
更に本発明の並列電源供給装置は、共通の電源ケーブルに第１、第２の給電装置を並列接続して給電する並列電源供給装置において、前記第１、第２の給電装置は、所定の電圧の電源を出力する電源供給手段と、所定の周波数のパイロット信号を生成して出力する発振器と、前記発振器の出力と外部からのパイロット信号との入力端子を備え、そのうち何れか一方を選択して出力する入力選択手段と、同相アンプと、反転アンプと、入力側が前記反転アンプの出力に接続され、出力側が他方の給電装置の前記入力選択手段へ接続される出力切換手段と、前記入力手段前記外部からのパイロット信号を監視し、前記外部からのパイロット信号を検知しなかった場合は、前記入力選択手段から前記発振器の出力を前記両アンプへ出力する制御と共に、前記出力切換手段へ前記反転アンプの出力をオンとする制御を行い、検知した場合は、前記入力選択手段から前記外部からのパイロット信号を前記両アンプへ出力する制御と共に、前記出力選択手段へ前記反転アンプの出力をオフとする制御を行うセンサ部と、前記出力される同相アンプの出力と前記電源供給手段の出力とを多重して前記電源ケーブルに出力する多重部とをそれぞれが備え、前記第１、第２の両方の給電装置が正常な場合、前記電源ケーブルに前記両給電装置から出力されるパイロット信号が打ち消し合った電源が供給されることを特徴とする。
【００１５】
更にまた、本発明の並列電源供給装置の給電方法は、電源、それぞれが共通な所定の電圧の電源を出力する電源供給手段と、所定の周波数のパイロット信号を生成して出力する発振器と、前記生成されるパイロット信号を入力して出力する同相アンプおよび反転アンプとセンサ部と、入力選択手段と、出力切換手段と、前記同相アンプの出力と前記電源供給手段の出力とを多重して前記電源ケーブルに出力する多重部とを備える第１、第２の給電装置の出力が共通の電源ケーブルに並列接続される並列電源供給装置の給電方法において、前記各給電装置の両前記入力選択手段の一方の入力端子は、自装置の前記発振器の出力に接続され、他方の入力端子は、他方の給電装置の前記出力切換手段の出力側に接続され、各前記センサ部は、前記入力選択手段の入力を監視し、前記外部からのパイロット信号を検知しない場合、自給電装置をマスターとして前記入力選択手段から前記発振器の出力をパイロット信号にして前記両アンプへ出力する制御と共に前記出力切換手段へ前記反転アンプの出力をオンとする制御とを行い、前記外部からのパイロット信号を検知した場合、前記入力選択手段から前記外部から入力するパイロット信号を前記両アンプへ出力する制御と共に前記出力切換手段へ前記反転アンプの出力をオフとする制御とを行い、各前記多重部は、入力される前記同相アンプからの出力される前記パイロット信号と前記電源供給手段の出力とを多重して前記電源ケーブルに出力し、両前記第１、第２の両方の給電装置が正常な場合、前記電源ケーブルに前記両給電装置から出力されるパイロット信号が互いに打ち消し合って前記所定の電圧の電源が給電されることを特徴とする。
【発明の効果】
【００１６】
本発明によれば、並列接続される電源装置の容易な故障分離とシステムの全面断が回避可能な電源供給システムおよび給電方法、ならびに並列電源供給装置とその給電方法を提供することが出来る。
【発明を実施するための最良の形態】
【００１７】
以下、図面を参照して本発明の実施例を説明する。
【実施例】
【００１８】
図１は、本発明の実施例に係わる電源供給システムの構成図である。  
図１において、電源給電システムは、携帯電話の基地局装置７に接続される親局装置１、複数の子局装置２（＃１〜＃Ｎ）、各子局に共通の給電ケーブルとなる一対の電源ケーブル３と、電源供給盤４とを備える。そして、親局１は、例えば、携帯電話の基地局装置７との間で携帯電話の上り回線と下り回線の信号、および監視制御信号等を送受信する信号処理部１１と、電源供給盤４から入力される電力を更に子局装置２（＃１〜＃Ｎ）へ電源ケーブル３によって供給する給電装置１２（＃Ａ、＃Ｂ）とを有している。
【００１９】
子局装置２は、親局装置１の信号処理部１１と、基地局装置７が携帯電話端末（図示せず。）との間で通信する無線信号を変換した光信号を光ケーブル６を介して送受信し、無線信号に再変換してアンテナ２１との間で入出力する。そして、これらの中継処理に必要な電力を電源ケーブル３により受電し、再供給する受電部２２を備えている。
【００２０】
給電装置１２から電源ケーブル３を介して子局装置２に給電する距離は電源ケーブル３の導体抵抗と、負荷となる全子局装置２の消費電力によって制限されるが、遠隔給電するためにできるだけ高い電圧で給電するのが有利であるため、例えば、１００〜２００Ｖ程度の直流高電圧で給電する。
【００２１】
通常、基地局装置７と親局装置１とはビル等の地階付近の機械室に設置され、そこから高層階に向けて配線ダクト５中を各種のケーブルが敷設される。屋上や各フロア等に多数分散設置される各子局２は、配線ダクト５を通して光ケーブル６と電源ケーブル３により光信号と電力を供給され、光ケーブル６は、例えば、外径１−２ｃｍの１００本程度の多芯ケーブル化出来るのでスペースの制約をあまり受けない。
【００２２】
しかし、電源ケーブルは遠隔給電の電圧降下を防ぐために、例えば、３．５ｓｑ、５ｓｑ等の太い電線が用いられ、電源ケーブルが集中する給電装置１２の出口から最初の子局装置２への電力を分配する配電盤（図示せず。）近くまでの配線ダクト５では、子局装置２毎に電源ケーブルを設けるにはスペースの制約が厳しくなる。
【００２３】
特に、予め1対の電源ケーブルが敷設されている区間で更に屋上へ子局装置２を増設する場合には、電源ケーブルが増設出来ないこともある。この様な場合、複数の子局装置２に対して、複数の給電装置１２を並列接続し最大Ｎ台までの子局装置２が運用出来るよう電源容量を増やすと共に、電源ケーブル３を共用して運用する場合がある。
【００２４】
この場合、従来は、冗長運用では無いので並列運用している給電装置１２の一方が故障した場合、修復、点検するためには、両方の給電装置１２を停止させねばならず、子局装置２のＮ台全部が運用出来ない、つまりシステムダウンする問題が生じていた。
【００２５】
そこで本発明の実施例では、Ｎ台の複数の子局装置２の半分（Ｎ／２）に対する給電容量をそれぞれ持つ給電装置２（＃Ａ）と、給電装置２（＃Ｂ）とで分担して並列運用させている。そして給電する直流電圧に重畳したパイロット信号の有無を負荷側である子局装置２で検出することにより、並列運転している２台の給電装置１２のうちいずれか一方が停止しても、残った他方の給電装置１２で給電できる分の負荷、残りの半分（Ｎ／２台）の子局装置２のみ運用を継続するようにして、システムの全停止を回避するようにしたものである。
【００２６】
図２は、本発明の実施例に係わる給電システムの給電装置のパイロット信号の説明図、図３は、本発明の実施例に係わる給電システムの給電装置の動作を説明する機能ブロック図、図４は、本発明の実施例に係わる給電システムの子局装置の動作を説明する機能ブロック図である。  
以下、図２〜図４を参照して本発明の電源供給システムの給電装置１２、子局装置２についての動作を説明する。
【００２７】
図２において、２台の給電装置１２（＃Ａ、＃Ｂ）が並列接続され、Ｎ台の子局装置２に向けて一対の電源ケーブル３で電力を供給している。この時、２台の給電装置１２は、図２の符号Ｖａ、Ｖｂに示す様に相互に反転関係にあるパイロット信号Ｖａ、Ｖｂを供給電力の直流電圧Ｅに重畳して出力するように構成する。各給電装置１２の給電容量は、それぞれＮ台の半分である。
【００２８】
給電装置１２（＃Ａ、＃Ｂ）が正常に起動すると出力の直流電圧では上述のパイロット信号が互いに相殺するので電源ケーブル３上、又は、負荷となる子局装置２側では消失し、どちらか一方の電源のみが起動しているときにはパイロット信号が観測されることになる。このパイロット信号は数１００Ｈｚから数１００ＫＨｚ程度の正弦波か繰り返しの矩形波が使用される。
【００２９】
周波数は、低すぎると後述する負荷側での検出が困難になり、一方高い周波数では電源ケーブル３の伝送中に減衰してしまうので、ケーブル長等を考慮し適宜周波数を選択する。
【００３０】
また、２台の給電装置１２（＃Ａ、＃Ｂ）からのパイロット信号を負荷側で消失させるためには各１２（＃Ａ、＃Ｂ）からの出力の周波数が同じで、位相が逆相で同期していなければならない。同期して相互に反転関係にある出力とするためには、図３に示すようにどちらか一方の給電装置１２で生成されたパイロット信号を他方が入力し、それを反転出力すれば良く、同期させるための複雑な位相調整、振幅調整をする必要が無い。
【００３１】
そのため、２台の給電装置１２（＃Ａ、＃Ｂ）の間は、後述の如く、どちらか一方がマスターとなった給電装置１２からのパイロット信号を入力するための亘り配線Ｃａ、Ｃｂが設けられている。
【００３２】
図３において、給電装置１２（＃Ａ、＃Ｂ）は、それぞれ、電源供給盤４から供給される電力を所定の電圧「Ｅ」にして出力するＤＣ部１２８、パイロット信号を生成する発振器１２１ａ、１２１ｂ、センサ部１２２、スイッチ１２３、反転アンプ１２４、同相アンプ１２５、多重部１２６と、設定部１２７とを備えている。
【００３３】
設定部１２７は、２台の給電装置１２の何れか一方がマスターとなる様に選択する設定手段であって、反転アンプ１２４から入力されるパイロット信号を亘り配線Ｃａ、Ｃｂを通して他の給電装置１２へ出力する（オン）か、しない（オフ）かの切換スイッチである。
【００３４】
先ず、２台の給電装置１２の何れか一方（ここでは、給電装置１２（＃Ｂ）とする。）が先に電源投入されて動作状態に入った方が基準（マスター）となる動作について説明する。
【００３５】
電源投入された給電装置１２（＃Ｂ）では、センサ部１２２は、パイロット信号が他方の給電装置１２（＃Ａ）から入力しているかしないかを調べると、自装置が先に電源投入されているのでパイロット信号は受信していない。なお、自装置の発振器１２１ｂ（１２１ａも同様である。）は、電源投入後安定した発信出力を行う迄のディレイが有り、センサ部１２２は、外部からのパイロット信号と自装置の発振器の出力とを区別することが出来、電源投入後パイロット信号の有無が判る。
【００３６】
そこで、センサ部１２２は、スイッチ１２３を自分の発振器１２１ｂに接続させ、また同時に設定部１２７をオンにする。言い換えれば、センサ部１２２で外部からのパイロット信号が検出されない給電装置１２（＃Ｂ）がマスターとなり、その発振器１２１ｂが出力するパイロット信号が反転され給電装置１２（＃Ａ）へ出力される設定が行われる。
【００３７】
発振器１２１ｂが出力するパイロット信号は、２分され、一方は、同相アンプ１２５へ入力され、例えば、周波数５５５Ｈｚ、振幅１Ｖのパイロット信号Ｖｂとなって多重部１２６でＤＣ部１２５が出力する電圧Ｅ（例えば、１００Ｖ）の供給電力に重畳されて電源ケーブル３へ出力される。
【００３８】
２分された他方のパイロット信号は、給電装置１２（＃Ｂ）の反転アンプ１２４で反転され、設定部１２７を通過し、更に亘り配線Ｃｂを経由して給電装置１２（＃Ａ）のセンサ部１２２に入力される。
【００３９】
続いて、後から電源投入された給電装置１２（＃Ａ）のセンサ部１２２は、パイロット信号が検出されるので、給電装置１２（＃Ａ）のスイッチ１２３を自分が入力しているパイロット信号を選択するように切り換えると同時に給電装置１２（＃Ａ）のセンサ部１２２は、自装置の設定部１２７をオフにして給電装置１２（＃Ｂ）へパイロット信号が再出力されないようにする。
【００４０】
そして、そのスイッチ１２３から出力されたパイロット信号は、同相アンプ１２５を経て、パイロット信号Ｖａになり多重部１２６へ入力される。
【００４１】
多重部１２６では、給電装置１２（＃Ａ）のＤＣ部１２５が出力する電圧Ｅの供給電力に重畳され、更に電源ケーブル３へ出力される。その結果、２つの給電装置１２（＃Ａ、＃Ｂ）が並列接続され、直流電力は２倍の容量に増加する一方、２つのパイロット信号Ｖａ、Ｖｂは等振幅、逆相で電源ケーブルに出力されるので打ち消し会い、両給電装置１２（＃Ａ、＃Ｂ）が正常で有れば、負荷となる子局装置２へは、パイロット信号Ｖａ，Ｖｂは出力されない状態になる。
【００４２】
何れか一方、例えば、マスターであった給電装置１２（＃Ｂ）が、故障、または保守点検や修理のため電源断となった状態では、給電装置１２（＃Ｂ）から反転されたパイロット信号Ｖａが電源ケーブル３へ出力されなくなる。
【００４３】
給電装置１２（＃Ａ）のセンサ部１２２が外部からのパイロット信号が入力されなくなったことを検出して、代わりに自分がマスターとなり入力スイッチ１２３が自装置の発振器１２１ａの信号を選択するように制御する。そして給電装置１２（＃Ａ）からのパイロット信号Ｖａのみが電源ケーブル３へ出力され、子局装置２では、直流電圧Ｅに１Ｖのパイロット信号Ｖａが重畳されて入力される。
【００４４】
また、スレーブである給電装置１２（＃Ａ）が、故障した場合、パイロット信号Ｖｂのみが電源ケーブル３へ出力され、子局装置２では、直流電圧Ｅに１Ｖのパイロット信号Ｖｂが重畳されて入力される。
【００４５】
なお、２台の給電装置１２のどちらがマスターとなりパイロット信号を出力するかは、上記の電源が先に投入された方がマスターとなる方法の他、スイッチ１２３と設定部１２７をオペレータが手動で切り換えて選択出来る様にしても良い。
【００４６】
この手動設定の場合でも動作開始後、スレーブ側となる給電装置１２のセンサ部１２２によるパイロット信号の監視を行い、仮にマスター側の給電装置１２が故障動作停止しても、スレーブが代わりに新たなマスターになると、後述のマスター側が故障しても、子局装置２側でパイロット信号が検出できるので、給電装置側の容量が減った場合にも子局装置が自己停止することが可能になる。
【００４７】
次に、図４を参照して子局装置２におけるパイロット信号の検出とその動作について説明する。図４において、子局装置２は、光ケーブル６との間で入出力する上り、下りの回線の光信号を電波に変換してアンテナ２１を介して送受信する中継処理部２３、電源ケーブル３から入力される給電装置１２からの電力が入力される受電部２２を備える。
【００４８】
また、中継処理部２３と親局装置１の信号処理部１１との間では、当該子局装置２の中継処理部や受電部２２の動作設定、モニタ用の制御信号が光ファイバケーブル６を介して伝送されている。
【００４９】
受電部２２は、更にフィルタ部２２１、副電源部２２５、同調部２２２、検波・判定部２２３、スイッチ２２４と、主電源部２２６とを備えている。
【００５０】
主電源部２２６は、スイッチ２２４がオンになると、入力される電圧Ｅ（例えば、１００Ｖの直流）の電力から、中継処理部２３で使用する所定の各種電源を変換して出力する。なお、後述の如く、入力される電力にパイロット信号が重畳されている場合には、このパイロット信号は、主電源部２２６の内部の図示されないフィルタで除去される。
【００５１】
フィルタ部２２１は、電源ケーブル３からの入力電力から雑音等を除去して出力する。副電源部２２５は、フィルタ部２２１から電力を入力し、例えば、内蔵の電池へ充電することにより子局装置２の起動に備え、同調部２２２、検波・判定部２２３、主電源部２２６等への予備電力を供給する。
【００５２】
同調部２２２は、給電装置１２から出力されるパイロット信号Ｖａ、Ｖｂの成分周波数を抽出する、例えば、バンドパスフィルタ（ＢＰＦ）、または、同調回路である。検波・判定部２２３は、抽出される周波数成分信号を検波し、パイロット信号が所定のレベルか否でブレーカとして動作するスイッチ２２４を開閉する開閉信号をスイッチ２２４へ出力する。
【００５３】
給電装置１２（＃Ａ、＃Ｂ）が故障等により並列運転でなくなるとパイロット信号が現れるので、パイロット信号を検出した場合にスイッチ２２４をオフにする開閉信号を出力する様に検波・判定部２２３を設定したとする。その場合、スイッチ２２４は、検波・判定部２２３から開放となる信号が入力されるとオフになり、主電源部２２６へ電力の供給が停止され子局装置２は動作停止をする。
【００５４】
言い換えれば、本発明の実施例の電源供給システムでは、並列運転される２台の給電装置の何れか一方が動作停止した場合にパイロット信号が、警報の情報となって電源に重畳されて子局装置へ給電される。従って、子局装置に対して、このパイロット信号を検出した場合の自装置をオンとするか、オフとするかの動作の配分数を半分ずつに定めれば、一方の給電装置をオフにして、他方をオンにしたままにしても電源供給容量以下で動作出来るのでシステム全体がダウンすることを避けることが出来る。
【００５５】
次に、子局装置２（＃１〜＃Ｎ）と給電装置１２（＃Ａ、＃Ｂ）の組み合わせによる電源供給システムとしての動作について説明する。
【００５６】
今、理解を容易にするため、子局装置の台数を１０台とする。そして、子局２（＃１〜＃５）が子局装置５台分の容量を備えた給電装置１２（＃Ａ）により既に運用され、子局２（＃６〜＃１０）が後から追加され、それらの増加した子局装置２に電力を供給する為に同様の容量の給電装置１２（＃Ｂ）が並列接続されたとする。
【００５７】
子局装置１０台が動作中、一方の給電装置１２（例えば、＃Ａ）が動作停止した場合、何も対策をしなければ給電容量は半分になり、残りの給電装置１２（＃Ｂ）も過負荷となりその保護装置が動作して動作停止するのでシステム全体が動作停止状態となる。
【００５８】
そこで、子局装置２（＃１〜＃Ｎ）に対して優先順位を設け、半分以上の子局装置２（ここでは、＃６〜＃１０）のみ給電装置の一方が動作停止した場合に休止することによりシステムダウンを避ける様にする。そのため、オペレータが残りの子局装置２（＃１〜＃５）の同調装置２２２、または検波・判定部２２３を無効に初期設定してパイロット信号を受信してもスイッチ２２４が動作しない、つまり動作を継続させるようにする。
【００５９】
なお、パイロット信号を受信すると動作停止する子局装置２の台数は、Ｎ台の半分以上にしても良いことは勿論である。
【００６０】
この方法によれば、給電装置１２が出力するパイロット信号に給電装置毎の識別符号等を設けることなく、給電装置１２が故障した場合でも所要数の子局装置２をオフにすることが出来る。
【００６１】
次に、子局装置２が、予め対応づけられた給電装置１２が故障した場合にのみ動作停止をする第２の方法について説明する。
【００６２】
図５は、給電装置のパイロット信号の第２の設定方法を示す説明図である。  
図５において、供給電源１２（＃Ａ）からは周波数ｆ１のパイロット信号ＶＡが出力され、供給電源１２（＃Ｂ）からは２倍の周波数ｆ２のパイロット信号ＶＢが出力されている。（両給電装置１２の設定部１２７はオフ、スイッチ１２３は自分の発振器１２１ｂが通過するオンと設定される。）。
【００６３】
図６は、パイロット信号の第２の設定方法を実行する給電装置の動作を説明する機能ブロック図である。  
図６において、給電装置１２は、発振器１２１ａ、（又は、１２１ｂ）、多重部１２６、ＤＣ部１２８となり、図３の例に比べ、構成が少なくなる。なお、発振器１２１ａ、１２１ｂの出力は、図示しないが同相、又は反転アンプ何れかが組み合わされ所要のレベルに調整されている。それ以外の点については、図３から容易に類推出来るので説明は省略する。
【００６４】
パイロット信号の第２の設定方法では、子局装置２（＃１〜＃５）は、同調部２２２がパイロット信号ＶＡの周波数ｆ１を通過するよう設定され、子局装置２（＃６〜＃１０）は、同調部２２２がパイロット信号ＶＢの周波数ｆ２を通過するように設定されている。またそれぞれの検波・判定部２２３は、例えば、子局装置２（＃１〜＃５）は、周波数ｆ１のパイロット信号ＶＡを検出した場合にスイッチ２２４をオンとする開閉信号を出力して動作をする。
【００６５】
反対に、給電装置１２（＃Ａ）が故障すればそのパイロット信号ＶＡが子局装置２（＃１〜＃５）では受信出来なくなり動作停止する。
【００６６】
この際、同一周波数が割当られる子局装置２の台数は、予めその周波数のパイロット信号を送信する給電装置１２の給電容量以内にしておく。上記の場合、例えば、子局装置２（＃１〜＃５）は給電装置１２（＃Ａ）の給電容量内の台数であり、子局装置２（＃６〜＃１０）は給電装置１２（＃Ｂ）の給電容量内の台数である様にすればよい。
【００６７】
この様に予め定められたパイロット信号を受信した場合に動作する子局装置２の種類、言い換えればパイロット周波数の組み合わせは、周波数の弁別が可能で有れば２つに限ることなく３つまたは、それ以上でも良い。また、処理も単純な同調回路や発振器で済むので、子局装置や、給電装置が複雑化することが無い。
【００６８】
また、上記実施例では、ＲＯＦシステムに使用されるＤＣ電源を供給する場合を例に説明したが、５０Ｈｚの交流電源周波数に対してパイロット信号の周波数を２０ＫＨｚとして異なるようにしたものであっても良い。この場合、図３におけるＤＣ部１２８を所定の周波数と電圧を供給する交流電源として読み替えればよい。
【００６９】
本発明は、上記主旨を逸脱しない範囲で、実施例に説明された構成の組み合わせや処理手順が適宜変更されたものであっても良い。例えば、４００Ｈｚの交流電源に対して多重されるパイロット信号の周波数を２０Ｈｚの様な低周波にしたシステムにも本発明は適用出来る。
【００７０】
なお、基地局装置７、又は親局装置１の側では、通常、図示されないが子局装置２の動作設定やモニタを行う制御卓を設けて監視制御信号を信号処理部１１を介して各子局装置２との間で送受信している。この監視制御信号に対して、制御卓の入力手段等からパイロット信号の周波数の設定、パイロット信号の検出時に子局装置２の受電部２２のスイッチ２２４をオン、又はオフにする設定等を行うようにしても良い。そうすることにより、上記説明の子局装置２の動作モードを上記実施例の何れかのケースに設定した電源供給システムを提供することが出来る。
【００７１】
以上説明した如く、本発明の実施例によれば、並列運用される給電装置が故障して電源供給停止する場合でも、全体を停止することなく、パイロット信号で給電装置の故障を検出を出来、かつ並列接続される残った給電装置１２の各容量範囲内で、子局装置を選択して受電して動作する電源供給システムが実現出来る。
【図面の簡単な説明】
【００７２】
【図１】本発明の実施例に係わる電源供給システムの構成図。
【図２】本発明の実施例に係わる給電システムの給電装置のパイロット信号の設定を示す説明図。
【図３】本発明の実施例に係わる給電システムの給電装置の動作を説明する機能ブロック図。
【図４】本発明の実施例に係わる給電システムの子局装置の動作を説明する機能ブロック図。
【図５】給電装置のパイロット信号の第２の設定方法を示す説明図。
【図６】パイロット信号の第２の設定方法の動作、処理を説明する給電装置の機能ブロック図。
【符号の説明】
【００７３】
１  親局装置
１２  給電装置
１２１  発振器
１２２  センサ部
１２３  スイッチ
１２４  反転アンプ
１２５  同相アンプ
１２６  多重部
１２７  設定部
１２８  ＤＣ部
２  子局装置
２２  受電部
２２１  フィルタ部
２２２  同調部
２２３  検波・判定部
２２４  スイッチ
２２５  副電源部
２２６  主電源部
３  電源ケーブル
４  電源供給盤
５  配線ダクト
６  光ケーブル
７  基地局装置
【図１】
2008259351.tif 000003
【図２】
2008259351.tif 000004
【図３】
2008259351.tif 000005
【図４】
2008259351.tif 000006
【図５】
2008259351.tif 000007
【図６】
2008259351.tif 000008